(57)【要約】【課題】  印刷方式の制限を受けずに作製可能であり、観察角度を変えて観察した際に視認できる情報が変化する印刷物を提供する。【解決手段】  基材上に、基材とは異なる色彩の第１の印刷領域を有する印刷画像を備え、第１の印刷領域は、第１の画線が複数配列されて成る第１の画線群と、第２の画線が複数配列されて成る第２の画線群が格子状に配列され、画線群同士は色彩及び／又は画線幅を異ならせることによって、観察角度に応じて視認できる情報が変化する。【選択図】  図２
2018114639.tif 000002
【特許請求の範囲】
【請求項１】
基材上に、前記基材とは異なる色彩の第１の印刷領域を有する印刷画像を備え、前記第１の印刷領域は、画線群が格子状に配列され、前記画線群同士は色彩及び／又は画線幅が異なり、前記基材に対する観察角度に応じて、視認できる情報が変化することを特徴とする情報変化印刷物。
【請求項２】
前記第１の印刷領域を形成した前記画線群同士が、拡散光下では同じ色彩であり、正反射光下では少なくとも二つの前記画線群が異なる色彩を有することを特徴とする請求項１に記載の情報変化印刷物。
【請求項３】
基材上に、前記基材とは異なる色彩の印刷画像を備え、前記印刷画像は、有意情報を形成した第１の印刷領域と、第１の印刷領域を囲むように隣接して配置された第２の印刷領域を備え、前記第１の印刷領域は、画線群が格子状に配列され、前記第１の印刷領域の画線群同士は色彩及び／又は画線幅が異なり、前記第２の印刷領域は、画線群が格子状に配列され、前記第２の印刷領域の画線群同士は色彩及び／又は画線幅が異なり、前記第１の印刷領域の画線群は、前記第２の印刷領域の画線群と同じ方向及び同じ位相に配列され、前記第１の印刷領域及び前記第２の印刷領域の画線群において、同じ方向及び同じ位相に配列された画線同士は色彩及び／又は画線幅が異なり、前記基材に対する観察角度に応じて、有意情報が出現することを特徴とする情報変化印刷物。
【請求項４】
前記第１の印刷領域及び前記第２の印刷領域を形成する前記画線群同士が、拡散光下では同じ色彩であり、正反射光下では少なくとも二つの前記画線群が異なる色彩を有することを特徴とする請求項３に記載の情報変化印刷物。
【請求項５】
基材上に、前記基材とは異なる色彩の印刷画像を備え、前記印刷画像は、複数の第１の印刷領域で形成された有意情報部と、前記有意情報部の周囲に複数の第２の印刷領域が配置されて形成された背景情報部を備え、前記第１の印刷領域は、画線群が格子状に配列され、前記画線群同士の色彩及び／又は画線幅が異なり、前記第２の印刷領域の画線群は、前記第１の印刷領域の画線群が配列されている方向とは異なる方向に格子状に配列され、前記第２の領域の画線群同士の色彩及び／又は画線幅が異なり、前記基材に対する観察角度に応じて、有意情報が出現することを特徴とする情報変化印刷物。
【請求項６】
前記第１の印刷領域及び前記第２の印刷領域を形成する前記画線群同士が、拡散光下では同じ色彩であり、正反射光下では少なくとも二つの前記画線群が異なる色彩を有することを特徴とする請求項５に記載の情報変化印刷物。
【発明の詳細な説明】
【技術分野】
【０００１】
本発明は、銀行券、株券、有価証券、通行券、パスポート、商品券、カード等の貴重印刷物の分野において、観察角度により視認できる情報が変化する印刷物に関するものである。
【背景技術】
【０００２】
銀行券、株券、有価証券、通行券、商品券、カード等の貴重印刷物は、その性質上、偽造や改ざんされないことが要求される。その対策として、例えば、観察する角度によって異なる情報が視認できる技術や、色彩が変化するといった技術が用いられている。また、意匠面を主眼としてレインボー印刷といったような平面上で連続的に色彩が変化する技術も用いられている。
【０００３】
その一例として、本出願人は、第１の方向に規則的に形成された盛りのある第１の画線と、第１の方向とは異なる第２の方向に規則的に形成された盛りのある第２の画線によって画像を形成し、更に第１の画線と第２の画線の隣接する境界部における一方の画線の幅を他方の画線の幅より細くして形成することで、斜めから観察した際に盛りのある画線が非画線部を隠蔽することにより見かけ上の画線濃度の変化が起こり、真上から観察した際と異なる情報が視認できる偽造防止印刷物を出願している（例えば、特許文献１参照）。
【０００４】
また、特許文献２には、２色以上の異なる色調を有し、各色が規則的に繰り返す多色万線模様の上に、画線部と非画線部が規則的に繰り返す単色万線模様を、０°〜２５°で交差させて形成する印刷物が開示されている。特許文献２の印刷物は、モアレにより平面上の色調がレインボー印刷のように連続的に変化しているように視認される。
【先行技術文献】
【特許文献】
【０００５】
【特許文献１】特許第５３５８８５８号公報
【特許文献２】特開平１０−２４６４８号公報
【発明の概要】
【発明が解決しようとする課題】
【０００６】
しかしながら、特許文献１の発明は、観察角度を変えて観察した際に、見かけ上の画線濃度の変化により視認できる情報を変化させるために、盛りのある印刷画線で非画線部を隠蔽する必要があった。そのため、凹版印刷やスクリーン印刷といった印刷方式の制限があった。
【０００７】
また、特許文献２の発明は、色調が連続的に変化する印刷物を提供することを課題としており、平面上の色調の変化はあったが、観察角度を変えて観察した際に視認できる情報が変化する効果が更に求められていた。
【０００８】
本発明は、上記課題の解決を目的とするものであり、印刷方式の制限を受けずに作製可能な、観察角度を変えて観察した際に視認できる情報が変化する印刷物を提供するものである。
【課題を解決するための手段】
【０００９】
本発明の情報変化印刷物は、基材上に、基材とは異なる色彩の第１の印刷領域を有する印刷画像を備え、第１の印刷領域は、画線群が格子状に配列され、画線群同士は色彩及び／又は画線幅が異なり、基材に対する観察角度に応じて、視認できる情報が変化することを特徴とする。
【００１０】
また、本発明の情報変化印刷物は、第１の印刷領域を形成した各画線群が、拡散光下では同じ色彩であり、正反射光下では少なくとも二つの前記画線群が異なる色彩を有することを特徴とする。
【００１１】
また、本発明の情報変化印刷物は、基材上に、基材とは異なる色彩の印刷画像を備え、印刷画像は、有意情報を形成した第１の印刷領域と、第１の印刷領域を囲むように隣接して配置された第２の印刷領域を備え、第１の印刷領域は、画線群が格子状に配列され、第１の印刷領域の画線群同士は色彩及び／又は画線幅が異なり、第２の印刷領域は、画線群が格子状に配列され、第２の印刷領域の画線群同士は色彩及び／又は画線幅が異なり、第１の印刷領域の画線群は、第２の印刷領域の画線群と同じ方向及び同じ位相に配列され、第１の印刷領域及び第２の印刷領域の画線群において、同じ方向及び同じ位相に配列された画線同士は色彩及び／又は画線幅が異なり、基材に対する観察角度に応じて、有意情報が出現することを特徴とする。
【００１２】
また、本発明の情報変化印刷物は、基材上に、基材とは異なる色彩の印刷画像を備え、印刷画像は、複数の第１の印刷領域で形成された有意情報部と、有意情報部の周囲に複数の第２の印刷領域が配置されて形成された背景情報部を備え、第１の印刷領域は、画線群が格子状に配列され、画線群同士の色彩及び／又は画線幅が異なり、第２の印刷領域の画線群は、第１の印刷領域の画線群が配列されている方向とは異なる方向に格子状に配列され、第２の領域の画線群同士の色彩及び／又は画線幅が異なり、基材に対する観察角度に応じて、有意情報が出現することを特徴とする。
【００１３】
また、本発明の情報変化印刷物は、第１の印刷領域及び第２の印刷領域を形成する各画線群が、拡散光下では同じ色彩であり、正反射光下では少なくとも二つの画線群が異なる色彩を有することを特徴とする。
【発明の効果】
【００１４】
本発明の情報変化印刷物は、観察角度を変えて観察した際に視認できる情報が変化する印刷物を、印刷方式の制限を受けることなく作製できる。
【図面の簡単な説明】
【００１５】
【図１】第１の実施の形態における情報変化印刷物を示す。
【図２】第１の実施の形態における情報変化印刷物の構成を示す。
【図３】第１の実施の形態における情報変化印刷物の観察角度及び観察方向を示す。
【図４】第１の実施の形態の変形例１における情報変化印刷物構成を示す。
【図５】第１の実施の形態の変形例１における情報変化印刷物の観察角度及び観察方向を示す。
【図６】第２の実施の形態における情報変化印刷物を示す。
【図７】第２の実施の形態における第１の印刷領域の構成を示す。
【図８】第２の実施の形態における第２の印刷領域の構成を示す。
【図９】第２の実施の形態における画線の配列を示す。
【図１０】第２の実施の形態における情報変化印刷物の観察角度及び観察方向を示す。
【図１１】第２の実施の形態の応用例１における情報変化印刷物を示す。
【図１２】第２の実施の形態の応用例１における第２の印刷領域の構成を示す。
【図１３】第２の実施の形態の応用例１における情報変化印刷物の観察角度及び観察方向を示す。
【図１４】第２の実施の形態の応用例２における情報変化印刷物を示す。
【図１５】第２の実施の形態の応用例２における情報変化印刷物を示す。
【図１６】第２の実施の形態の応用例２における情報変化印刷物の観察角度及び観察方向を示す。
【図１７】実施例１における情報変化印刷物を示す。
【図１８】実施例１における情報変化印刷物の観察角度及び観察方向を示す。
【図１９】実施例３における情報変化印刷物を示す。
【図２０】実施例３における印刷画像の構成を示す。
【図２１】実施例３における第１の印刷領域のグループの構成を示す。
【図２２】実施例３における第２の印刷領域のグループの構成を示す。
【図２３】実施例３における情報変化印刷物の観察角度及び観察方向を示す。
【図２４】実施例４における情報変化印刷物を示す。
【図２５】実施例４における印刷画像の構成を示す。
【図２６】実施例４における第１の印刷領域の構成を示す。
【図２７】実施例４における第２の印刷領域の構成を示す。
【図２８】実施例４における情報変化印刷物の観察角度及び観察方向を示す。
【発明を実施するための形態】
【００１６】
本発明を実施するための形態について、図面を参照して説明する。しかしながら、本発明は、以下に述べる実施するための形態に限定されるものではなく、特許請求の範囲記載における技術的思想の範囲内であれば、その他の様々な実施の形態が含まれる。
【００１７】
（第１の実施の形態）
図１に本発明の第１の実施の形態における情報変化印刷物（１１）（以下「印刷物」という。）を示す。図１に示すのは、印刷物（１１）を正面から観察した図であり、本発明の印刷物（１１）は、基材（１）上に第１の印刷領域（２）から成る印刷画像（３）を備える。なお、図１では、印刷画像（３）が第１の印刷領域（２）のみで形成されている例を示しているが、本発明は、これに限定されるものではなく、印刷画像（３）は、第１の印刷領域、第２の印刷領域、・・・、第ｎの印刷領域（ｎは２以上の整数）と、複数の印刷領域から形成されていてもよい。複数の印刷領域から形成された印刷画像（３）については、第２の実施の形態で説明する。
【００１８】
図２（ａ）は、第１の印刷領域（２）を示した図であり、第１の印刷領域（２）は、図２（ｂ）に示す第１の画線群（４）と、図２（ｃ）に示す第２の画線群（５）から形成される。
【００１９】
図２（ｂ）に示す第１の画線群（４）は、基材（１）の色彩とは異なる第１の色彩を有する第１の画線（７）が、第１の方向（Ｓ１）に所定のピッチ（Ｐ１）で複数配列されて形成される。図２（ｃ）に示す第２の画線群（５）は、基材（１）の色彩とは異なる色彩で、少なくとも正反射光下で第１の色彩とは異なる色彩の第２の色彩を有する第２の画線（８）が、第１の方向（Ｓ１）とは異なる第２の方向（Ｓ２）に所定のピッチ（Ｐ２）で複数配列されて形成される。なお、第２の色彩は拡散光下では第１の色彩と同じ色彩でも異なる色彩でも構わない。
【００２０】
第１の画線群（４）と第２の画線群（５）の配置関係については、前述のように、それぞれの画線が異なる方向に配列されることで、画線が格子状に配列される。本発明における格子状とは配列方向の異なる画線が互いに交わりながら配列されている状態のことである。図２では配列方向が９０°異なり格子状に配列された例であるが、本発明において、第１の画線群（４）が配列されている第１の方向（Ｓ１）と、第２の画線群（５）が配列されている第２の方向（Ｓ２）の配列方向の角度の違いは９０°に限定されるものではなく、異なっていればよい。
【００２１】
また、第１の印刷領域（２）を形成する他の要素として輪郭画線（６）を備えることも可能であり、本実施の形態では輪郭画線（６）を備えている。なお、本発明における輪郭画線（６）とは、印刷領域と非印刷領域又は他の印刷領域との境を示す画線のことであり、輪郭画線（６）を備えることで第１の印刷領域（２）が明確となる効果を奏する。輪郭画線（６）の色彩は、基材（１）と異なる色彩であればよい。
【００２２】
第１の画線（７）の画線幅（Ｗ１）及び第２の画線（８）の画線幅（Ｗ２）は、前述した所定のピッチ（Ｐ１及びＰ２）で形成した際に、少なくとも１０μｍの非画線部を設けられる範囲の画線幅とし、Ｐ１＞Ｗ１及びＰ２＞Ｗ２とする。具体的に、前述した印刷物（１１）の場合においては、２０μｍ〜３，０００μｍ程度とする。また同様にピッチについては、４０μｍ〜６，０００μｍ程度とする。なお、第１の画線（７）の画線幅（Ｗ１）及び第２の画線（８）の画線幅（Ｗ２）は、同じでも異なっていても構わない。
【００２３】
なお、本明細書で用いる「画線」とは、例えば直線、曲線、波線、点線や破線等の分断線等が含まれ、画線の形状はいかなるものであっても含まれるものとする。
【００２４】
また、本発明における「色彩」とは、色相、彩度及び明度の概念を含んで色を表したものである。
【００２５】
基材（１）は、特に限定はなく印刷画像を担持できる平滑性のある平面を有していればよい。
【００２６】
第１の画線（７）及び第２の画線（８）を形成する印刷方式は、特許文献１のように凹版印刷やスクリーン印刷に限定するものではなく、ウェットオフセット印刷、ドライオフセット印刷、凸版印刷、水無平版印刷、グラビア印刷、フレキソ印刷又はデジタル印刷などの方式で印刷してもよい。
【００２７】
第１の実施の形態の印刷物（１１）の効果を以下に説明する。なお、第１の画線（７）の第１の色彩を赤色、第２の画線（８）の第２の色彩を青色で形成する。
【００２８】
印刷物（１１）を、図３（ａ）に示すように、印刷物（１１）の平面に対して観察者が観察角度αで観察した場合、第１の画線（７）の第１の色彩である赤色と第２の画線（８）の第２の色彩の青色がそのまま視認され、印刷画像（３）が第１の色彩の第１の画線（７）と、第２の色彩の第２の画線（８）によって形成されていることが確認できる。
【００２９】
一方、印刷物（１１）を、図３（ｂ）に示すように、第１の画線（７）が配列される第１の方向（Ｓ１）と直交する観察方向Ａから、図３（ａ）に示す観察角度αより観察角度の浅い観察角度βで観察した場合、図３（ｃ）に示すように、観察角度αで観察した場合に比べ、第１の画線（７）の第１の色彩である赤色が、第２の画線（８）の第２の色彩である青色に比べて強調されて視認される。すなわち、第１の色彩である赤色が、第２の色彩である青色より強調されることによって生じる色の差によって、観察角度αで観察した場合とは異なる情報が視認できる。この原理は水平な画線に対して垂直な画線が強調して視認される水平垂直錯視を利用したものであると考えられる。
【００３０】
なお、本発明における「情報」とは、色彩、濃度、模様といった視覚によって認識できるもののことである。
【００３１】
また、図３（ｂ）に示すように、第２の画線（８）が配列される第２の方向（Ｓ２）と直交する観察方向Ｂから、観察角度βで観察した場合、図３（ｄ）に示すように、観察角度αで観察した場合に比べ、第２の画線（８）の第２の色彩である青色が、第１の画線（７）の第１の色彩である赤色より強調されて視認される。すなわち、第２の色彩である青色が第１の色彩である赤色より強調されることによって生じる色の差によって、観察角度αで観察した場合とは異なる情報が視認でき、観察方向Ａから観察した場合と異なる情報が視認できる。
【００３２】
次に、第１の印刷領域（２）を構成する第１の画線（７）の第１の色彩と第２の画線（８）の第２の色彩を同じ色彩とし、第１の画線（７）の画線幅（Ｗ１）に対して、第２の画線（８）の画線幅（Ｗ２）を約半分の画線幅で形成した場合の効果について説明する。
【００３３】
印刷物（１１）を、図３（ａ）に示すように、印刷物（１１）の平面に対して観察者が観察角度αで観察した場合、第１の画線（７）の画線幅（Ｗ１）が、第２の画線（８）の画線幅（Ｗ２）に対して太いため、面積率の差により第１の画線（７）が強調して視認される。
【００３４】
一方、印刷物（１１）を、図３（ｂ）に示すように、第１の画線（７）が配列される第１の方向（Ｓ１）と直交する観察方向Ａから、図３（ａ）に示す観察角度αより観察角度の浅い観察角度βで観察した場合、観察角度αで観察した場合に比べ、第１の画線（７）が強調されることにより、第１の画線（７）と第２の画線（８）の差が更に強調されて視認され、観察角度αで観察した場合とは異なる情報が視認できる。
【００３５】
また、印刷物（１１）を、図３（ｂ）に示すように、第２の画線（８）が配列される第２の方向（Ｓ２）と直交する観察方向Ｂから、観察角度βで観察した場合、観察角度αで観察した場合に比べ、第２の画線（８）が強調されて視認されることにより、第１の画線（７）と第２の画線（８）で画線幅に差がないように視認され、観察角度αで観察した場合とは異なる情報が視認でき、観察方向Ａから観察した場合と異なる情報が視認できる。
【００３６】
（第１の実施の形態の変形例１）
第１の実施の形態では、第１の印刷領域（２）が、第１の方向（Ｓ１）に配列された第１の画線群（４）と第２の方向（Ｓ２）に配列された第２の画線群（５）から成る印刷物（１１）について説明したが、本発明の印刷物（１１）はこの二つの画線群に加えて、第３〜第ｍの方向（Ｓ３〜Ｓｍ）（ｍは４以上の整数）に配列された第３〜第ｍの画線群を備えてもよい。
【００３７】
図４（ａ）に第１の実施の形態の変形例１の第１の印刷領域（２）を示す。この第１の実施の形態の変形例１では、第１の印刷領域（２）に第１の画線群（４）と第２の画線群（５）に加えて、第３の画線群（９）を備える。図４（ｂ）は第１の画線群（４）、図４（ｃ）は第２の画線群（５）、図４（ｄ）は第３の画線群（９）の構成を示した図である。第１の画線群（４）及び第２の画線群（５）は、前述した第１の実施の形態と同じ構成のため説明は省略する。第３の画線群（９）は、基材（１）の色彩とは異なり、第１の色彩及び第２の色彩と同じ又は異なる第３の色彩を有する第３の画線（１０）が、第１の画線（７）が配列される第１の方向（Ｓ１）及び第２の画線（８）が配列される第２の方向（Ｓ２）とは異なる第３の方向（Ｓ３）に所定のピッチ（Ｐ３）で複数配列されて形成される。
【００３８】
第１の画線群（４）、第２の画線群（５）及び第３の画線群（９）は、全ての画線が格子状に配置される。
【００３９】
第３の画線（１０）の画線幅（Ｗ３）は、第１の画線（７）の画線幅（Ｗ１）及び第２の画線（８）の画線幅（Ｗ２）と同じ範囲である。また、同様に第３の画線（１０）のピッチ（Ｐ３）は、第１の画線のピッチ（Ｐ１）及び第２の画線のピッチ（Ｐ２）と同じ範囲である。
【００４０】
第１の実施の形態の変形例１の効果を以下に説明する。なお、第１の画線（７）の第１の色彩を赤色、第２の画線（８）の第２の色彩を青色、第３の画線（１０）の第３の色彩を緑色で形成したものとする。
【００４１】
印刷物（１１）を、図５（ａ）に示すように、印刷物（１１）の平面に対して観察者が観察角度αで観察した場合、第１の画線（７）の第１の色彩である赤色、第２の画線（８）の第２の色彩である青色及び第３の画線（１０）の第３の色彩である緑色がそのまま視認され、印刷画像（３）が第１の色彩の第１の画線（７）、第２の色彩の第２の画線（８）及び第３の色彩の第３の画線（１０）によって形成されていることが確認できる。
【００４２】
一方、印刷物（１１）を、図５（ｂ）に示すように、第１の画線（７）が配列される第１の方向（Ｓ１）と直交する観察方向Ａから、図５（ａ）に示す観察角度αより観察角度の浅い観察角度βで観察した場合、観察角度αで観察した場合に比べ、第１の画線（７）の第１の色彩である赤色が、第２の画線（８）の第２の色彩である青色及び第３の画線（１０）の第３の色彩である緑色に比べて強調されて視認される。すなわち第１の色彩である赤色が、第２の色彩である青色及び第３の色彩である緑色より強調されることによって生じる色の差によって、観察角度αで観察した場合とは異なる情報が視認できる。
【００４３】
また、印刷物（１１）を、図５（ｂ）に示すように、第２の画線（８）が配列される第２の方向（Ｓ２）と直交する観察方向Ｂから、図５（ａ）に示す観察角度βで観察した場合、観察角度αで観察した場合に比べ、第２の画線（８）の第２の色彩である青色が、第１の画線（７）の第１の色彩である赤色及び第３の画線（１０）の第３の色彩である緑色より強調されて視認される。すなわち第２の色彩である青色が、第１の色彩である赤色及び第３の色彩である緑色より強調されることによって生じる色の差によって、観察角度αで観察した場合とは異なる情報が視認でき、観察方向Ａから観察した場合と異なる情報を視認できる。
【００４４】
また、印刷物（１１）を、図５（ｂ）に示すように、第３の画線（１０）が配列される第３の方向（Ｓ３）と直交する観察方向Ｃから、図５（ａ）に示す観察角度βで観察した場合、観察角度αで観察した場合に比べ、第３の画線（１０）の第３の色彩である緑色が、第１の画線（７）の第１の色彩である赤色及び第２の画線（８）の第２の色彩である青色より強調されて視認される。すなわち第３の色彩である緑色が、第１の色彩である赤色及び第２の色彩である青色より強調されることによって生じる色の差によって、観察角度αで観察した場合とは異なる情報が視認でき、観察方向Ａ及び観察方向Ｂから観察した場合と異なる情報を視認できる。
【００４５】
（第１の実施の形態の変形例２）
本第１の実施の形態の変形例２については、印刷物（１１）の真上近辺に当たる角度（いわゆる、拡散反射領域）では、二つの画線群が同じ色彩となり、異なる角度（いわゆる、正反射領域）では異なる色彩となる、色の変化を伴う効果を奏する例である。
【００４６】
第１の実施の形態の変形例２の具体例として、図２（ｂ）に示す第１の印刷領域（２）の第１の画線群（４）を構成する第１の画線（７）の第１の色彩を金色の光輝性インキ、第２の画線群（５）を構成する第２の画線（８）の第２の色彩を正反射光下では緑色、かつ、拡散反射光下では金色となる光学的変化インキで形成する。
【００４７】
第１の実施の形態の変形例２の印刷物（１１）を、図３（ａ）に示すように、印刷物（１１）の平面に対して観察者が観察角度αで観察した場合、第１の画線（７）は第１の色彩である金色、第２の画線（８）は拡散反射光下での第２の色彩の金色が視認され、印刷画像（３）は第１の画線（７）と第２の画線（８）が同じ色彩で形成されていることが確認できる。    
【００４８】
一方、印刷物（１１）を、図３（ｂ）に示すように、第１の画線（７）が配列される第１の方向（Ｓ１）と直交する観察方向Ａから、図３（ａ）に示す観察角度αより観察角度の浅い観察角度βで観察した場合、第２の画線（８）の第２の色彩は、光学的変化インキの特性として拡散反射光下での金色から正反射光下での緑色へと色彩が変化して視認される。また、第１の画線（７）の第１の色彩である金色が、第２の画線（８）の第２の色彩である緑色に比べて強調されて視認される。すなわち、第２の色彩が金色から緑色へと変化したこと及び第１の色彩である金色が、第２の色彩である緑色より強調されることによって生じる色の差によって、観察角度αで観察した場合とは異なる情報が視認できる。
【００４９】
また、印刷物（１１）を、図３（ｂ）に示す第２の画線（８）が配列される第２の方向（Ｓ２）と直交する観察方向Ｂから、図３（ａ）に示す観察角度βで観察した場合、第２の色彩は、光学的変化インキの特性として拡散反射光下での金色から正反射光下での緑色へと変化して視認される。また、観察角度αで観察した場合に比べ、第２の画線（８）の第２の色彩である緑色が、第１の画線（７）の第１の色彩である金色より強調されて視認される。すなわち、第２の色彩が金色から緑色へと変化したこと及び第２の色彩である緑色が第１の色彩である金色より強調されることによって生じる色の差によって、観察角度αで観察した場合とは異なる情報が視認でき、観察方向Ａから観察した場合と異なる情報が視認できる。
【００５０】
第１の実施の形態の変形例２においては、観察角度αで観察した場合、第１の画線（７）と第２の画線（８）が同じ色彩で視認される第１の印刷領域（２）が、観察角度βで観察した場合には第１の画線（７）と第２の画線（８）が異なる色彩で視認できるといった色彩の変化を伴う。さらに、一方の画線が強調して視認されることで、観察方向Ａと観察方向Ｂで観察した場合に異なる情報が視認できることにより、情報変化のバリエーションが増す。また、光学的変化インキといった複写では再現困難なインキを使うことにより、偽造防止効果が高まるといった効果も奏する。
【００５１】
（第２の実施の形態）
本第２の実施の形態は、複数の印刷領域で一つの印刷画像（３）を形成する例である。図６（ａ）に第２の実施の形態の具体例の印刷画像（３）を示す。図６（ａ）の印刷画像（３）は、図６（ｂ）に示す第１の印刷領域（２）に加えて、図６（ｃ）に示す第２の印刷領域（１２）を更に備える。図６（ａ）では第２の印刷領域（１２）は、第１の印刷領域（２）を囲むように隣接して形成される例を図示しているが、配置関係はこれに限定するものではなく、第２の実施の形態の技術的思想の範囲内で適宜配置するものとする。
【００５２】
第２の実施の形態では、第１の印刷領域（２）を「十字」の形に形成しており、第１の印刷領域（２）で有意情報を形成し、第２の印刷領域（１２）で第１の印刷領域（２）を囲むことで有意情報をカモフラージュしている。
【００５３】
図７（ａ）は、第１の印刷領域（２）を示した図であり、第１の印刷領域（２）は、図７（ｂ）に示す第１の画線群（４）と、図７（ｃ）に示す第２の画線群（５）から形成される。
【００５４】
図７（ｂ）に示す第１の画線群（４）は、基材（１）とは異なる第１の色彩を有する第１の画線（７）が、第１の方向（Ｓ１）に所定のピッチ（Ｐ１）で複数配列されて形成される。図７（ｃ）に示す第２の画線群（５）は、基材とは異なる色彩で、少なくとも正反射光下で第１の色彩とは異なる色彩の第２の色彩を有する第２の画線（８）が、第１の方向（Ｓ１）とは異なる第２の方向（Ｓ２）に所定のピッチ（Ｐ２）で複数配列されて形成される。なお、第２の色彩は拡散光下では第１の色彩と同じ色彩でも異なる色彩でも構わない。
【００５５】
第１の画線群（４）と第２の画線群（５）は、画線が格子状に配列される。
【００５６】
第１の画線（７）の画線幅（Ｗ１）及び第２の画線（８）の画線幅（Ｗ２）は、第１の実施の形態における画線幅と同じ範囲である。また、同様に第１の画線（７）のピッチ（Ｐ１）及び第２の画線のピッチ（Ｐ２）は、第１の実施の形態におけるピッチと同じ範囲である。
【００５７】
図８（ａ）は、第２の印刷領域（１２）を示した図であり、第２の印刷領域（１２）は、図８（ｂ）に示す第１’の画線群（１３）と、図８（ｃ）に示す第２’の画線群（１４）から形成される。
【００５８】
図８（ｂ）に示す第１’の画線群（１３）は、第１の画線（７）と同じ第１の色彩を有する第１’の画線（１５）が、第２の画線（８）と同じ第２の方向（Ｓ２）に所定のピッチ（Ｐ１’）で複数配列されて形成される。図８（ｃ）に示す第２’の画線群（１４）は、第２の画線（８）の色彩と同じ第２の色彩を有する第２’の画線（１６）が、第１の画線（７）と同じ第１の方向（Ｓ１）に所定のピッチ（Ｐ２’）で複数配列されて形成される。第１’の画線群（１３）と第２’の画線群（１４）は、画線が格子状に配列される。
【００５９】
第１’の画線（１５）の画線幅（Ｗ１’）及び第２’の画線（１６）の画線幅（Ｗ２’）は、第１の画線（７）の画線幅（Ｗ１）及び第２の画線（８）の画線幅（Ｗ２）と同じ範囲である。また、同様に第１’の画線（１５）のピッチ（Ｐ１’）及び第２’の画線（１６）のピッチ（Ｐ２’）は、第１の画線（７）のピッチ（Ｐ１）及び第２の画線（８）のピッチ（Ｐ２）と同じ範囲である。
【００６０】
図９（ａ）は第２の実施の形態における画線の配列について示した図である。図９（ｂ）に示すように、同じ第１の方向（Ｓ１）に配列される第１の画線群（４）と第２’の画線群（１４）は同じ方向及び同じ位相に配列される方が第１の印刷領域（２）と第２の印刷領域（１２）の印刷領域の差がカモフラージュされるため好ましいが、位相がずれた配置となっていても構わない。同様に図９（ｃ）に示すように、同じ第２の方向（Ｓ２）に配列される第２の画線群（５）と第１’の画線群（１３）は同じ方向及び同じ位相に配列されることが好ましいが、位相がずれた配置となっていても構わない。
【００６１】
なお、図６〜１０では第２の印刷領域（１２）に輪郭画線（６）を図示しているが、必須の構成ではない。輪郭画線（６）を設けることにより印刷領域が明確になる効果を奏するが、有意情報を形成する第１の印刷領域（２）に輪郭画線（６）を設けた場合は、それにより有意情報が明確となってしまうため、有意情報を隠したい場合には輪郭画線（６）は設けない方がよい。
【００６２】
第２の実施の形態の印刷物（１１）の効果を以下に説明する。なお、第１の画線（７）及び第１’の画線（１５）の第１の色彩を赤色、第２の画線（８）及び第２’の画線（１６）の第２の色彩を青色で形成する。
【００６３】
印刷物（１１）を、図１０（ａ）に示すように、印刷物（１１）の平面に対して観察者が観察角度αで観察した場合、第１の画線（７）及び第１’の画線（１５）の第１の色彩である赤色と第２の画線（８）及び第２’の画線（１６）の第２の色彩の青色がそのまま視認される。また、第１の印刷領域（２）と第２の印刷領域（１２）は同じ色彩で形成されているため、第１の印刷領域（２）で形成される有意情報は第２の印刷領域（１２）によってカモフラージュされ、視認できない。
【００６４】
一方、印刷物（１１）を、図１０（ｂ）に示すように、第１の画線（７）及び第２’の画線（１６）が配列される第１の方向（Ｓ１）と直交する観察方向Ａから、図１０（ａ）に示す観察角度αより観察角度の浅い観察角度βで観察した場合、観察角度αで観察した場合に比べ、第１の印刷領域（２）の第１の画線（７）の第１の色彩である赤色が、第２の画線（８）の第２の色彩である青色に比べて強調されて視認される。また、第２の印刷領域（１２）の第２’の画線（１６）の第２の色彩である青色が、第１’の画線（１５）の第１の色彩である赤色に比べて強調されて視認される。すなわち、第１の印刷領域（２）は赤色が強く、第２の印刷領域（１２）は青色が強く視認されることにより、観察角度αとは異なり、第１の印刷領域（２）と第２の印刷領域の視認される色彩の差によって、「十字」の形の有意情報を視認することができる。
【００６５】
また、印刷物（１１）を、図１０（ｂ）に示すように、第２の画線（８）及び第１’の画線（１５）が配列される第２の方向（Ｓ２）と直交する観察方向Ｂから、印刷物（１１）を図１４（ａ）に示す観察角度αより観察角度の浅い観察角度βで観察した場合、観察角度αで観察した場合に比べ、第１の印刷領域（２）の第２の画線（８）の第２の色彩である青色が、第１の画線（７）の第１の色彩である赤色に比べて強調されて視認される。また、第２の印刷領域（１２）の第１’の画線（１５）の第１の色彩である赤色が、第２’の画線（１６）の第２の色彩である青色に比べて強調されて視認される。すなわち、第１の印刷領域（２）は青色が強く、第２の印刷領域（１２）は赤色が強く視認されることにより、観察角度αとは異なり、第１の印刷領域（２）と第２の印刷領域（１２）の視認される色彩の差によって、「十字」の形の有意情報を視認することができ、観察方向Ａから観察した場合と異なる情報が視認できる。
【００６６】
（第２の実施の形態の応用例１）
また、第２の実施の形態の応用例１として、同じ印刷領域を複数個備えてもよい。以下、第２の実施の形態の応用例１について説明する。
【００６７】
図１１（ａ）に示す、第２の実施の形態の応用例１の印刷画像（３）は、図１１（ｂ）に示す複数個の第１の印刷領域（２）から成る有意情報部（１７）と、図１１（ｃ）に示す複数個の第２の印刷領域（１２）から成る背景情報部（１８）を備える。有意情報部（１７）は複数の第１の印刷領域（２）が「アルファベットのＹ」の形に配置されている。背景情報部（１８）は第２の印刷領域（１２）が有意情報部（１７）の周囲に複数配置されている。
【００６８】
第１の印刷領域（２）の構成については、第１の実施の形態と同様であるため省略する。図１２（ａ）に示す第２の印刷領域（１２）は、図１２（ｂ）に示す第１’の画線群（１３）と、図１２（ｃ）に示す第２’の画線群（１４）から構成される。
【００６９】
図１２（ｂ）に示す第１’の画線群（１３）は、第１の画線と同じ第１の色彩を有する第１’の画線（１５）が、第１の方向（Ｓ１）とは異なる第１’の方向（Ｓ１’）に所定のピッチ（Ｐ１’）で複数配列されて形成される。図１２（ｃ）に示す第２’の画線群（１４）は、第２の画線（８）の色彩と同じ第２の色彩を有する第２’の画線（１６）が、第２の方向（Ｓ２）とは異なる第２’の方向（Ｓ２’）に所定のピッチ（Ｐ２’）で複数配列されて形成される。第１’の画線群（１３）と第２’の画線群（１４）は画線が格子状に配列される。
【００７０】
また、第２の印刷領域（１２）を構成する他の要素として輪郭画線（６）を備えることも可能であり、図１２（ａ）に示す第２の実施の形態の変形例では輪郭画線（６）を備えている。輪郭画線（６）を備えることで第２の印刷領域（１２）が明確となる効果を奏する。輪郭画線（６）の色彩は、基材（１）と異なる色彩であればよい。
【００７１】
第１’の画線（１５）の画線幅（Ｗ１’）及び第２’の画線（１６）の画線幅（Ｗ２’）は、第１の画線（７）の画線幅（Ｗ１）及び第２の画線（８）の画線幅（Ｗ２）と同じ範囲である。また、同様に第１’の画線（１５）のピッチ（Ｐ１’）及び第２’の画線（１６）のピッチ（Ｐ２’）は、第１の画線（７）のピッチ（Ｐ１）及び第２の画線（８）のピッチ（Ｐ２）と同じ範囲である。
【００７２】
第１の印刷領域（２）と第２の印刷領域（１２）は、印刷画像（３）を形成する他の第１の印刷領域（２）及び／又は第２の印刷領域（１２）と隣接又は近接するように配置される。
【００７３】
第２の実施の形態の応用例１の印刷物（１１）の効果を以下に説明する。なお、第１の画線（７）及び第１’の画線（１５）の第１の色彩を赤色、第２の画線（８）及び第２’の画線（１６）の第２の色彩を青色で形成する。
【００７４】
印刷物（１１）を、図１３（ａ）に示すように、印刷物（１１）の平面に対して観察者が観察角度αで観察した場合、第１の画線（７）及び第１’の画線（１５）の第１の色彩である赤色と第２の画線（８）及び第２’の画線（１６）の第２の色彩の青色がそのまま視認される。また、第１の印刷領域（２）と第２の印刷領域（１２）は同じ色彩で形成されているため、複数の第１の印刷領域（２）で形成される有意情報部（１７）である「アルファベットのＹ」は、複数の第２の印刷領域（１２）で形成される背景情報部（１８）によってカモフラージュされ、視認できない。
【００７５】
一方、印刷物（１１）を、図１３（ｂ）に示すように、第１の画線（７）が配列される第１の方向（Ｓ１）と直交する観察方向Ａから、図１３（ａ）に示す観察角度αより観察角度の浅い観察角度βで観察した場合、観察角度αで観察した場合に比べ、第１の印刷領域（２）の第１の画線（７）の第１の色彩である赤色が、第２の画線（８）の第２の色彩である青色に比べて強調されて視認される。一方、第２の印刷領域（１２）は観察角度αで観察した場合と同様に視認される。すなわち、第１の印刷領域（２）において第１の色彩である赤色が、第２の色彩である青色より強調されることによって生じる色の差及び第１の印刷領域（２）と第２の印刷領域（１２）の視認される色彩の差によって、複数の第１の領域（２）で形成される有意情報部（１７）である「アルファベットのＹ」を視認することができる。
【００７６】
また、印刷物（１１）を、図１３（ｂ）に示すように、第２の画線（８）が配列される第２の方向（Ｓ２）と直交する観察方向Ｂから、観察角度βで観察した場合、観察角度αで観察した場合に比べ、第１の印刷領域（２）の第２の画線（８）の第２の色彩である青色が、第１の画線（７）の第１の色彩である赤色より強調されて視認される。一方、第２の印刷領域（１２）は観察角度αで観察した場合と同様に視認される。すなわち、第１の印刷領域（２）において第２の色彩である青色が、第１の色彩である赤色より強調されることによって生じる色の差及び第１の印刷領域（２）と第２の印刷領域（１２）の視認される色彩の差によって、複数の第１の領域（２）で形成される有意情報部（１７）である「アルファベットのＹ」を視認することができ、観察方向Ａから観察した場合と異なる情報が視認できる。
【００７７】
また、印刷物（１１）を図１３（ｂ）に示すように、第１’の画線（１５）が配列される第１’の方向（Ｓ１’）と直交する観察方向Ｃから、観察角度βで観察した場合、観察角度αで観察した場合に比べ、第２の印刷領域（２）の第１’の画線（１５）の第１の色彩である赤色が、第２’の画線（１６）の第２の色彩である青色より強調されて視認される。一方、第１の印刷領域（２）は観察角度αで観察した場合と同様に視認される。すなわち、第２の印刷領域（１２）において第１の色彩である赤色が、第２の色彩である青色より強調されることによって生じる色の差及び第１の印刷領域（２）と第２の印刷領域（１２）の視認される色彩の差によって、複数の第１の領域（２）で形成される有意情報部（１７）である「アルファベットのＹ」を視認することができ、観察方向Ａ及びＢから観察した場合と異なる情報が視認できる。
【００７８】
また、印刷物（１１）を図１３（ｂ）に示すように、第２’の画線（１６）が配列される第２’の方向（Ｓ２’）と直交する観察方向Ｄから、観察角度βで観察した場合、観察角度αで観察した場合に比べ、第２の印刷領域（２）の第２’の画線（１６）の第１の色彩である青色が、第１’の画線（１５）の第１の色彩である赤色より強調されて視認される。一方、第１の印刷領域（２）は観察角度αで観察した場合と同様に視認される。すなわち、第２の印刷領域（１２）において第２の色彩である青色が、第１の色彩である赤色より強調されることによって生じる色の差及び第１の印刷領域（２）と第２の印刷領域（１２）の視認される色彩の差によって、複数の第１の領域（２）で形成される有意情報部（１７）である「アルファベットのＹ」を視認することができ、観察方向Ａ、Ｂ及びＣから観察した場合と異なる情報が視認できる。
【００７９】
（第２の実施の形態の応用例２）
また、第２の実施の形態の応用例２として第１〜第ｎの印刷領域（ｎは２以上の整数）を備えてもよい。図１４に第２の実施の形態の応用例２を示す。本実施の形態では第１の印刷領域（２）、第２の印刷領域（１２）及び第３の印刷領域（１９）を備えた例で説明する。
【００８０】
図１４は、第２の実施の形態の応用例２の印刷画像（１１）の一例であり、第１の印刷領域（２）に隣接して第２の印刷領域（１２）を備える。さらに、第２の印刷領域（１２）に隣接して第３の印刷領域（１９）を備えることで印刷画像（３）を形成している。したがって、第１の印刷領域（２）に第２の印刷領域（１２）が、また第２の印刷領域（１２）に第３の印刷領域（１９）が、それぞれ隣接しているように、第２の実施の形態の応用例２では、一つの印刷領域は、少なくとも一つの他の印刷領域と隣接する。
【００８１】
各印刷領域の構成については他の実施の形態で説明したものと同様であるため説明は、省略する。
【００８２】
第１の印刷領域（２）、第２の印刷領域（１２）及び第３の印刷領域（１９）は、それぞれの印刷領域を構成する画線群の配列方向が、第１の印刷領域（２）から第３の印刷領域（１９）にかけて漸次異なっている。
【００８３】
図１４では円形の印刷領域を複数個配列することで印刷画像（３）を形成しているが、図１５に示すように、長方形の印刷領域を複数配置して印刷画像（３）を形成してもよく、本技術の思想の範囲内であればどのように印刷画像（３）を形成するかに制限はない。
【００８４】
第２の実施の形態の応用例２の印刷物（１１）の効果を以下に説明する。
【００８５】
図１６（ａ）に示すように印刷物（１１）の平面に対して観察者が観察角度αで観察した場合、各印刷領域はそのまま視認される。
【００８６】
一方、印刷物（１１）を、図１６（ａ）に示す観察角度αより観察角度の浅い観察角度βで観察した場合、観察角度αで観察した場合に比べ、観察方向に対し、直交して配列される画線群が強調して視認される。また、水平方向に観察方向を漸次変化させることにより、強調して視認される画線群が変化していく。つまり、水平方向に観察角度を漸次変えながら観察することにより、強調される画線群が漸次変化していくといった、動的な効果も奏する。
【実施例１】
【００８７】
実施例１として、一つの印刷領域で形成した例を示す。図１７に実施例１における印刷物（１１）を示す。図１７における第１の印刷領域（２）の構成は実施の形態で説明した構成と同様であるため、説明は省略する。
【００８８】
この印刷物（１１）を作製するために使用したインキを表１に示す。
【００８９】
【表１】
2018114639.tif 000003
【００９０】
表１のインキを使用し、第１の画線（７）を印刷したのち第２の画線（８）を印刷することで、図１７に示す印刷物（１１）を作製することができる。この印刷物（１１）を図１８（ｂ）に示す観察方向Ａから印刷物（１１）を図１８（ａ）に示す観察角度βへ傾けて観察すると、第１の画線群（４）の赤色が強調されて観察され、逆に第２の画線（８）の黒色が薄く観察される。また、図１８（ｂ）に示す観察方向Ｂから印刷物（１１）を図１８（ａ）に示す観察角度βへ傾けて観察すると、第２の画線（８）の黒色が強調されて観察され、逆に第１の画線（７）の赤色が薄く観察される。このように、観察方向及び観察角度により情報が変化する印刷物（１１）が作製できる。
【実施例２】
【００９１】
実施例２として光学的変化インキを用いて形成した例を示す。デザインは実施例１と同じものを使用した。この印刷物（１１）を作成するために使用したインキを表２に示す。
【００９２】
【表２】
2018114639.tif 000004
【００９３】
表２のインキを使用し、第１の画線（７）はスクリーン印刷で、第２の画線（８）はオフセット印刷で作製した。ちなみに、ＳＩＣＰＡ社製の５ＺＢ１０００は光学的変化インキであり、印刷した第１の画線（７）は正面から観察すると金色に視認され、傾けて観察すると緑色に変化して視認される。一方、Ｔ＆Ｋ  ＴＯＫＡ社製のインキで印刷した第２の画線（８）は常に金色に視認される。この印刷物（１１）を図１８（ａ）に示す観察角度αから観察すると、第１の画線（７）及び第２の画線（８）は金色に見えるため、両者に差異は見られない。しかし、図１８（ｂ）に示す観察方向Ａから印刷物（１１）を図１８（ａ）に示す観察角度βへ傾けて観察すると、ＳＩＣＰＡ社製のインキで印刷した第１の画線（７）が緑色に変化し、第２の画線（８）の金色より強調して視認される。また、図１８（ｂ）に示す観察方向Ｂから印刷物（１１）を図１８（ａ）に示す観察角度βへ傾けて観察すると、第１の画線（７）が金色から緑色に変化して視認されるが、第２の画線（８）の金色が強調されて視認される。つまり、観察角度αで観察した場合はどちらのインキも金色に見えるが、観察方向Ａから観察角度βへ傾けて観察すると第１の画線（７）の緑色が強く認識され、観察方向Ｂから観察角度βへ傾けて観察すると第２の画線（８）の金色が強く視認される印刷物（１１）が得られる。
【実施例３】
【００９４】
実施例３として複数の領域を用いて形成した例を示す。図１９に実施例３における印刷物（１１）を示す。この図に示すように、この印刷物（１１）は複数の印刷領域で構成されている。
【００９５】
図２０に示すように、実施例３の印刷画像（３）は複数の第１の印刷領域（２）で形成される有意情報部（１７）と複数の第２の印刷領域（１２）で形成される背景情報部から形成される。
【００９６】
図２１に示すように、有意情報部（１７）は複数の第１の画線群（４）と複数の第２の画線群（５）及び輪郭画線（６）から構成されている。
【００９７】
図２２に示すように、背景情報部（１８）は複数の第１’の画線群（１３）と複数の第２’の画線群（１４）及び輪郭画線（６）から構成されている。
【００９８】
図２１及び図２２の画線をオフセット印刷で印刷することで、図１９に示した印刷物（１１）を作製できる。この印刷物（１１）を作製するために使用したインキを表３に示した。
【００９９】
【表３】
2018114639.tif 000005
【０１００】
この印刷物（１１）を、図２３（ｂ）に示す観察方向Ａから図２３（ａ）に示す観察角度βに傾けて観察すると、複数の第１の印刷領域（２）で形成される有意情報部（１７）である「アルファベットのＹ」の文字が赤く視認され、図２３（ｂ）に示す観察方向Ｂから図２３（ａ）に示す観察角度βに傾けて観察すると、複数の第１の印刷領域（２）で形成される有意情報部（１７）である「アルファベットのＹ」の文字が黒く視認される。
【実施例４】
【０１０１】
実施例４として、複数の領域を用いて形成した別の例を示す。図２４に実施例４における印刷物（１１）を示す。この図２４に示すようにこの印刷物（１１）は複数の印刷領域で構成されている。
【０１０２】
図２５に示すように、実施例４の印刷画像（３）は第１の印刷領域（２）と第２の印刷領域（１２）から形成される。
【０１０３】
図２６に示したように、第１の印刷領域（２）は第１の画線群（４）と第２の画線群（５）から構成されている。
【０１０４】
図２７に示したように、第２の印刷領域（１２）は第１’の画線群（１３）と第２’の画線群（１４）及び輪郭画線（６）から構成されている。
【０１０５】
図２６及び図２７の画線をオフセット印刷で印刷することで、図２４に示した印刷物（１１）を作製できる。この印刷物（１１）を作製するために使用したインキを表４に示した。
【０１０６】
【表４】
2018114639.tif 000006
【０１０７】
この印刷物（１１）を、図２８（ｂ）に示す観察方向Ａから図２８（ａ）に示す観察角度βに傾けて観察すると、「アルファベットのＴ」の文字が赤く視認され、図２８（ｂ）に示す観察方向Ｂから図２８（ａ）に示す観察角度βに傾けて観察すると、「アルファベットのＴ」の文字が黒く視認される。
【符号の説明】
【０１０８】
１  基材
２  第１の印刷領域
３  印刷画像
４  第１の画線群
５  第２の画線群
６  輪郭画線
７  第１の画線
８  第２の画線
９  第３の画線群
１０  第３の画線
１１  情報変化印刷物
１２  第２の印刷領域
１３  第１’の画線群
１４  第２’の画線群
１５  第１’の画線
１６  第２’の画線
１７  有意情報部
１８  背景情報部
１９  第３の印刷領域
【図１】
2018114639.tif 000007
【図２】
2018114639.tif 000008
【図３】
2018114639.tif 000009
【図４】
2018114639.tif 000010
【図５】
2018114639.tif 000011
【図６】
2018114639.tif 000012
【図７】
2018114639.tif 000013
【図８】
2018114639.tif 000014
【図９】
2018114639.tif 000015
【図１０】
2018114639.tif 000016
【図１１】
2018114639.tif 000017
【図１２】
2018114639.tif 000018
【図１３】
2018114639.tif 000019
【図１４】
2018114639.tif 000020
【図１５】
2018114639.tif 000021
【図１６】
2018114639.tif 000022
【図１７】
2018114639.tif 000023
【図１８】
2018114639.tif 000024
【図１９】
2018114639.tif 000025
【図２０】
2018114639.tif 000026
【図２１】
2018114639.tif 000027
【図２２】
2018114639.tif 000028
【図２３】
2018114639.tif 000029
【図２４】
2018114639.tif 000030
【図２５】
2018114639.tif 000031
【図２６】
2018114639.tif 000032
【図２７】
2018114639.tif 000033
【図２８】
2018114639.tif 000034